(57)【要約】【課題】金属の微粒子の頭皮への供給を可能にした頭皮ケア装置を提供する。【解決手段】金属を微粒子化する金属微粒子化手段２を備えた頭皮ケア装置１であって、金属微粒子化手段２を収容するハウジング３に複数の中空状の突起部４を立設し、前記突起部４の先端部に前記金属微粒子化手段２により微粒子化された金属を放出する放出口５を形成した。更に、前記突起部４の内面に微粒子化された金属が付着することを防止する金属付着防止手段６を備えてもよい。【選択図】図１
2011004922.tif 000002
【特許請求の範囲】
【請求項１】
金属を微粒子化する金属微粒子化手段を備えた頭皮ケア装置であって、
金属微粒子化手段を収容するハウジングに複数の中空状の突起部を立設し、前記突起部の先端部に前記金属微粒子化手段により微粒子化された金属を放出する放出口を形成したことを特徴とする頭皮ケア装置。
【請求項２】
前記突起部の内面に微粒子化された金属が付着することを防止する金属付着防止手段を備えたことを特徴とする請求項１記載の頭皮ケア装置。
【請求項３】
前記金属付着防止手段は、中空状の突起部の内面に所定の電荷を付与するものであることを特徴とする請求項２記載の頭皮ケア装置。
【請求項４】
前記突起部に形成された放出口から空気が吐出するように突起部の内部へ空気を送る送風手段を備えたことを特徴とする請求項１乃至３のいずれか一項に記載の頭皮ケア装置。
【請求項５】
突起部の先端と頭部との距離を検知する距離検知手段と、距離検知手段により検知された距離に応じて前記送風手段により送る空気の量を制御する空気量制御部と、を備えたことを特徴とする請求項4記載の頭皮ケア装置。
【請求項６】
送風手段から送られる空気を加熱する加熱手段と、距離検知手段により検知された距離に応じて加熱手段により加える熱量を制御する熱量制御手段と、を備えたことを特徴とする請求項５記載の頭皮ケア装置。
【請求項７】
ハウジングに立設された中空状の突起部にそれぞれに対応して金属微粒子化手段の微粒子発生部を配置したことを特徴とする請求項１乃至６のいずれか一項に記載の頭皮ケア装置。
【請求項８】
中空状の突起部の内側の形状が先端部に形成された放出口に向かって広がり、放出口に連続するように形成されていることを特徴とする請求項１乃至７のいずれか一項に記載の頭皮ケア装置。
【請求項９】
突起部の先端に形成された放出口は、突起部の突出方向に対して傾斜するように形成されていることを特徴とする請求項１乃至８のいずれか一項に記載の頭皮ケア装置。
【発明の詳細な説明】
【技術分野】
【０００１】
本願発明は、頭皮に微粒子化された金属を付着させることにより頭皮をケアする頭皮ケア装置に関するものである。
【背景技術】
【０００２】
従来から、特開２００８−２３０６３号公報（特許文献１）に示されるように、遷移金属の微粒子を放出するヘアードライヤーは知られている。このヘアードライヤーには、遷移金属を含んだ一対の電極に電圧を印加することによって電極間に放電を形成して遷移金属を微粒子化する放電部と、放電部を内蔵するとともに放電部において生成された遷移金属の微粒子が流れる微粒子流路と、微粒子を放出する微粒子放出口と、が設けられている。
【０００３】
したがって、このヘアードライヤーでは放電部において生成された遷移金属の微粒子を、微粒子放出口から放出して毛髪に供給することで、活性酸素によるダメージから毛髪を保護することができるとされている。
【先行技術文献】
【特許文献】
【０００４】
【特許文献１】特開２００８−２３０６３号公報
【発明の概要】
【発明が解決しようとする課題】
【０００５】
しかしながら、上記従来例であるヘアードライヤーにあっては、微粒子放出口から放出された金属の微粒子の多くは頭髪により遮られ頭皮まで届かず、頭皮に金属の微粒子を付着させて活性酸素による頭皮へのダメージを防いだり、頭皮を活性化したりすることができないといった問題点を有していた。
【０００６】
本願発明は、上記従来例に鑑みて発明されたものであり、その課題は、金属の微粒子の頭皮への供給を可能にした頭皮ケア装置を提供することである。
【課題を解決するための手段】
【０００７】
上記課題を解決するために、本願請求項１記載の発明では、金属を微粒子化する金属微粒子化手段を備えた頭皮ケア装置であって、
金属微粒子化手段を収容するハウジングに複数の中空状の突起部を立設し、前記突起部の先端部に前記金属微粒子化手段により微粒子化された金属を放出する放出口を形成したことを特徴としている。
【０００８】
又、本願請求項２記載の発明では、上記請求項１記載の頭皮ケア装置において、前記突起部の内面に微粒子化された金属が付着することを防止する金属付着防止手段を備えたことを特徴としている。
【０００９】
又、本願請求項３記載の発明では、上記請求項２記載の頭皮ケア装置において、前記金属付着防止手段は、中空状の突起部の内面に所定の電荷を付与するものであることを特徴としている。
【００１０】
又、本願請求項４記載の発明では、上記請求項１乃至３のいずれか一項に記載の頭皮ケア装置において、前記突起部に形成された放出口から空気が吐出するように突起部の内部へ空気を送る送風手段を備えたことを特徴としている。
【００１１】
又、本願請求項５記載の発明では、上記請求項４に記載の頭皮ケア装置において、突起部の先端と頭部との距離を検知する距離検知手段と、距離検知手段により検知された距離に応じて前記送風手段により送る空気の量を制御する空気量制御部と、を備えたことを特徴としている。
【００１２】
又、本願請求項６記載の発明では、上記請求項５記載の頭皮ケア装置において、送風手段から送られる空気を加熱する加熱手段と、距離検知手段により検知された距離に応じて加熱手段により加える熱量を制御する熱量制御手段と、を備えたことを特徴としている。
【００１３】
又、本願請求項７記載の発明では、上記請求項１乃至６のいずれか一項に記載の頭皮ケア装置において、ハウジングに立設された中空状の突起部にそれぞれに対応して金属微粒子化手段の微粒子発生部を配置したことを特徴としている。
【００１４】
又、本願請求項８記載の発明では、上記請求項１乃至７のいずれか一項に記載の頭皮ケア装置において、中空状の突起部の内側の形状が先端部に形成された放出口に向かって広がり、放出口に連続するように形成されていることを特徴としている。
【００１５】
又、本願請求項９記載の発明では、上記請求項１乃至８のいずれか一項に記載の頭皮ケア装置において、突起部の先端に形成された放出口は、突起部の突出方向に対して傾斜するように形成されていることを特徴としている。
【発明の効果】
【００１６】
本願請求項１記載の発明の頭皮ケア装置においては、金属微粒子化手段を収容するハウジングに複数の中空状の突起部を立設し、前記突起部の先端部に前記金属微粒子化手段により微粒子化された金属を放出する放出口を形成したので、頭髪に遮られることなく微粒子化された金属を頭皮に供給することができ活性酸素による頭皮へのダメージを防いだり、頭皮を活性化させることができる。
【００１７】
又、本願請求項２記載の発明の頭皮ケア装置においては、特に、前記突起部の内面に微粒子化された金属が付着することを防止する金属付着防止手段を備えたので、微粒子化された金属が突起部の内部に付着することなく、多くの微粒子化された金属を頭皮に供給することができる。
【００１８】
又、本願請求項３記載の発明の頭皮ケア装置においては、特に、前記金属付着防止手段は、中空状の突起部の内面に所定の電荷を付与するものであるので、電荷付与手段により微粒子化された金属と反発する電荷を突起部の内面に付与して微粒子化された金属が突起部の内面に付着することを防ぎ、効率的に微粒子化された金属を頭皮に効率的に供給することができる。
【００１９】
又、本願請求項４記載の発明の頭皮ケア装置においては、特に、前記突起部に形成された放出口から空気が吐出するように突起部の内部へ空気を送る送風手段を備えたので、空気を吐出することにより微粒子化された金属を頭皮に供給することができ、吐出された空気により頭髪が掻き分けられ、頭髪に遮られることなく頭皮に微粒子化された金属を効果的に供給することができる。
【００２０】
又、本願請求項５記載の発明の頭皮ケア装置においては、特に、突起部の先端と頭部との距離を検知する距離検知手段と、距離検知手段により検知された距離に応じて前記送風手段により送る空気の量を制御する空気量制御部と、を備えたので、検知された距離が離れるにつれて送風手段により送る空気の量を多くして効果的に頭髪を掻き分けて頭髪に遮られることなく頭皮に微粒子化された金属を安定して供給することができる。
【００２１】
又、本願請求項６記載の発明の頭皮ケア装置においては、特に、送風手段から送られる空気を加熱する加熱手段と、距離検知手段により検知された距離に応じて加熱手段により加える熱量を制御する熱量制御手段と、を備えたので、検知された距離が短くなるにつれて加熱手段により加える熱量を低減させて加熱された空気により頭髪や頭皮に与えるダメージを低減することができる。また、加える熱量を低減させることにより省エネルギー化を図ると共に加熱された空気により金属微粒子化手段が劣化することを防ぐことができる。
【００２２】
又、本願請求項７記載の発明の頭皮ケア装置においては、特に、ハウジングに立設された中空状の突起部にそれぞれに対応して金属微粒子化手段の微粒子発生部を配置したので、突起部の先端部に形成された放出口から安定して金属微粒子化手段により微粒子化された金属を供給することができる。
【００２３】
又、本願請求項８記載の発明の頭皮ケア装置においては、特に、中空状の突起部の内側の形状が先端部に形成された放出口に向かって広がり、放出口に連続するように形成されているので、金属微粒子化手段により微粒化された金属が突起部の内側に付着することを防ぐことができ、安定して微粒子化された金属を供給することができる。
【００２４】
又、本願請求項９記載の発明の頭皮ケア装置においては、特に、突起部の先端に形成された放出口は、突起部の突出方向に対して傾斜するように形成されているので、突起部の内側の表面積が少なくなり金属微粒子化手段により微粒子化された金属が突起部の内側に付着することを防ぐことができ、安定して微粒子化された金属を供給することができる。また、放出口は傾斜して形成されているので頭髪を掻き分け易く頭髪を掻き分けて頭髪に遮られることなく頭皮に微粒子化された金属を安定して供給することができる。
【図面の簡単な説明】
【００２５】
【図１】本願発明の第１の実施形態における頭皮ケア装置を示す側面図。
【図２】本願発明の第１の実施形態における金属微粒化手段を説明する構成図。
【図３】本願発明の第１の実施形態における別の形態の頭皮ケア装置を示す側面図。
【図４】本願発明の第２の実施形態における頭皮ケア装置を示す側面図。
【図５】本願発明の第３の実施形態における頭皮ケア装置を示す側面図。
【図６】本願発明の第３の実施形態における頭皮ケア装置の電気構成を概略的に示すブロック図。
【図７】本願発明の第３の実施形態における頭皮ケア装置の動作を概略的に示すフローチャート。
【図８】本願発明の第３の実施形態における送風手段による空気の送風量と検知手段により検知される検知距離の関係を示す関係図。
【図９】本願発明の第３の実施形態における加熱手段により加える熱量と検知手段により検知される検知距離の関係を示す関係図。
【図１０】本願発明の第４の実施形態における頭皮ケア装置を示す側面図。
【図１１】本願発明の第４の実施形態における頭皮ケア装置の電気構成を概略的に示すブロック図。
【図１２】本願発明の第４の実施形態における頭皮ケア装置の動作を概略的に示すフローチャート。
【図１３】本願発明の第４の実施形態における別の形態の頭皮ケア装置を示す側面図。
【発明を実施するための形態】
【００２６】
図１〜３は、本願発明における第１の実施形態である頭皮ケア装置１を示している。この頭皮ケア装置１は、金属を微粒子化する金属微粒子化手段２を備え、金属微粒子化手段２を収容するハウジング３には複数の中空状の突起部４が立設され、前記突起部４の先端部に前記金属微粒子化手段２により微粒子化された金属を放出する放出口５が形成されている。また、突起部４の内面には微粒子化された金属が付着することを防止する金属付着防止手段６が備えられている。
【００２７】
ハウジング３は、略円筒状の形状（図１における左右方向が円筒の軸方向）を有し、その円状の一端面から複数の中空状の突起部４が立設されており他端面の外側には使用者により操作されるスイッチ７と電源部８が設置されており、ハウジング３の他端面の内側には金属微粒子化手段２が設置されている。
【００２８】
中空状の突起部４は、軟性樹脂等の可撓性を有する材質により形成されており、また、先端に向かって丸みを帯びた形状に形成されているので、頭皮に接触しても安全な構造となっている。さらに突起部の４の先端部には放出口５が形成されている。放出口５は１つの突起部４に対して１箇所形成されているが、１箇所に限定されず複数箇所形成されていてもよい。
【００２９】
金属微粒子化手段２は、微粒子化された金属を発生させる微粒子発生部９と微粒子発生部９とリード線１０を介して接続される高電圧発生部１１とで構成されている。微粒子発生部９は、金属を含んだ一対の電極１２と前記電極１２の間に配置された中間電極１３と電極１２および中間電極１３を固定する電極ホルダ１４とによって構成されており、一対の電極１２のそれぞれに接続されたリード線１０を介して高電圧発生部１１に接続されている。高電圧発生部１１は電源部８から電源を供給されており、高電圧発生部１１により発生された電圧が一対の電極１２間に印加され、電極１２間に放電が形成されることにより金属の微粒子が生成される。
【００３０】
ここで、中間電極１３および電極１２は例えばステンレスやタングステン等により構成されているが、少なくとも一方の電極１２には亜鉛、金、白金、ロジウム、パラジウム、イリジウム、ルテニウムまたはオスミウム等の遷移金属が含まれており、好ましくは、白金または亜鉛が用いられる。白金を電極１２として用いれば微粒子化された白金は高い抗酸化作用を有するので抗酸化効果が得られ、亜鉛を用いれば亜鉛の細胞賦活作用のため細胞賦活効果を得ることができる。さらに白金と亜鉛の合金を用いて抗酸化効果および細胞賦活効果を得るようにしてもよい。
【００３１】
また、ハウジング３の内面には、微粒子発生部９の周囲から突起部４の方向に亘って微粒子発生部９によって発生された金属微粒子が付着することを防止する金属付着防止手段６として帯電防止シートが固着されており、この帯電防止シートは突起部４の内面にも固着されている。
【００３２】
次に、本実施形態の頭皮ケア装置の動作について説明する。使用者は、頭皮ケア装置１の先端を頭部に向けた状態でハウジング３を把持し、ハウジング３の外側に設けられたスイッチ７を操作してスイッチをＯＮの状態にすると、電源部８から高電圧発生部１１に電源が供給され、高電圧発生部１１が一対の電極１２の間に高電圧を印加することにより、電極１２間および、電極１２と中間電極１３との間に放電が形成される。放電が形成されると、放電のエネルギーにより、電極１２または中間電極１３の一部が微粒子化されて金属微粒子が発生する。このとき発生した金属微粒子には、上述の遷移金属のいずれかが含まれている。使用者は可撓性が確保された突起部４により、頭髪を掻き分けるとともに、頭皮のマッサージを行う。スイッチ７がＯＦＦの状態にされると、電源部８から高電圧発生部１１への電源供給がなされなくなり、高電圧発生部１１による電極１２への電圧印加が停止され、金属微粒子の発生が停止する。
【００３３】
したがって、本実施形態の頭皮ケア装置１によれば、可撓性を有する突起部４により頭髪を掻き分けながら頭皮のマッサージおよび頭髪を整えることができる。このときに突起部４の先端部に形成された放出口５から金属微粒子を放出することにより頭皮に確実に金属微粒子を供給することができ、この金属微粒子によって活性酸素による頭皮のダメージ保護できたり、頭皮の活性化を図ることができる。
【００３４】
なお、上述の実施形態では、ハウジング３の一端面から突起部４を立設する構成としたが、この構成に限らず、例えば図３に示されるように、略円筒状のハウジング３（図３の上下方向が円筒の軸方向）の外側の曲面から一列以上の突起部４を立設する構成としてもよい。このような構成にすることで、多くの突起部４が存在することにより、効果的に頭皮に金属微粒子を供給することができる。また、電源部８についても、ハウジング３の内部に設ける構成としてもよい。
【００３５】
次に、図４に基づいて、第２の実施形態について説明する。なお、第１の実施形態の頭皮ケア装置１と同様の構成については、同一の符号を付して、その説明を省略する。本実施形態の頭皮ケア装置１は、突起部４に形成された放出口５から空気が吐出するように突起部４の内部へ空気を送る送風手段１５を備えており、ハウジング３に立設された中空状の突起部４の内部に金属微粒子化手段２の微粒子発生部９が配置されている。また、金属付着防止手段６として、所定の電荷を付与するものが用いられている。
【００３６】
本実施形態の頭皮ケア装置１は略円筒状の円状の一端面から複数の突起部４が立設されており、この一端面とは反対側の他端面に空気の吸入口１６が形成され、他端面のハウジング３内部側にはモーター１７によりファン１８を駆動する送風手段１５が設けられている。また、本実施形態においては金属微粒子手段２の微粒子発生部９は複数個存在し、それぞれの微粒子発生部９は、中空状の突起部４のそれぞれの内部に位置するように発生部支持手段３０によりハウジング３内に支持されている。ハウジング３の側面には電源部８と電源部８の稼動または停止を操作するスイッチ７とが配設されている。電源部８には高電圧発生部１１が内設されており、リード線１０を介して微粒子発生部９に電源を供給すると共に、リード線１０を介してモーター１７に電源を供給することができる構成となっている。
【００３７】
さらに突起部４の内面には金属付着防止手段６として、微粒子発生部９により発生した金属微粒子と同じ電荷が付与された荷電シートが固着されているので、同じ電荷同士の反発により金属微粒子が突起部４の内面に付着することを防ぐことができる。
【００３８】
次に本実施形態の頭皮ケア装置の動作について説明する。使用者が突起部４の先端を頭部に向けてハウジング３を把持し、ハウジング３の側面に設けられたスイッチ７をＯＮの状態にすると、電源部８からモーター１７に電源が供給されモーター１７が駆動しファン１８が回転することにより、吸入口１６から吸入された空気がハウジング３内を流れ突起部４に形成された放出口５から吐出される。このとき、金属微粒子化手段２の微粒子発生部９において発生した金属微粒子が空気と共に放出口５から吐出される。
【００３９】
したがって、本実施形態の頭皮ケア装置１においては、送風手段１５により空気と共に金属微粒子を頭皮に供給することで、送風方向である頭部に確実に金属微粒子を供給することができ、送風により頭髪が掻き分けられるので、頭皮に効率的に金属微粒子を供給することができる。また、微粒子発生部９を突起部４の内部に配置したので、ハウジング３内に金属微粒子が付着し、突起部４の放出口５から放出される金属微粒子が減少することなく、安定して金属微粒子を頭皮に供給することができる。
【００４０】
次に、図５、６に基づいて、第３の実施形態について説明する。なお、第２の実施形態の頭皮ケア装置１と同様の構成については、同一の符号を付して、その説明を省略する。本実施形態の頭皮ケア装置１は、突起部４の先端と頭部との距離を検知する距離検知手段１９と、距離検知手段１９により検知された距離に応じて送風手段１５により送る空気の量を制御する空気量制御部２０と、を備える。また、送風手段１５から送られる空気を加熱する加熱手段２１と、距離検知手段１９により検知された距離に応じて加熱手段２１により加える熱量を制御する熱量制御部２２と、を備えている。さらに、中空状の突起部４の内側の形状は先端部に形成された放出口５に向かって広がり、放出口５に連続するように形成されている。
【００４１】
本実施形態の頭皮ケア装置１は、略円筒状のハウジング３の２つの円状の側面を貫く軸線と略直行する方向にハンドル部２３がハウジング３から延設されている。そしてハンドル部２３には、使用者により操作されるスイッチ７、制御基板２４及び制御基板２４や加熱手段２１や距離検知手段１９に電源を供給する電源部８が内設されている。さらにハウジング３の内部の送風手段１５の前方側（突起部４側）に加熱手段２１としてヒータが配設されており、これにより突起部４に形成された放出口５から加熱手段２１により加熱された温風が吹き出すことが可能な構成となっている。
【００４２】
また、ハウジング３に立設された突起部４の付近には、放出口５と頭部との距離を検知する距離検知手段１９が設けられている。本実施形態の距離検知手段１９として赤外線センサが用いられており、赤外線センサと頭部との間の距離Xを測定し、予め設定されている赤外線センサと放出口５との間の距離YをXから減算することにより放出口５と頭部との距離を検知している。なお、簡易的な構成として距離Xから距離Yを減算せずに距離X、すなわち赤外線センサと頭部との間の距離を放出口５と頭部との距離として利用してもよい。
【００４３】
図６は、本実施形態の頭皮ケア装置１の電気的構成を概略的に示すブロック図である。図６に示すように、ハンドル部２３に内蔵された制御基板２４には送風手段１５のモーター１７、加熱手段２１及び金属微粒子化手段２の高電圧発生部１１のそれぞれを対応して制御する各制御部、すなわち、空気量制御部２０、熱量制御部２２、放電制御部２５が設けられている。また、制御基板２４には電源部８が接続されており、電源部８は上記各制御部２０、２２、２５のそれぞれに電源を供給する。そして、これらの各制御部２０、２２、２５はハンドル部２３に設けられたスイッチ７及び距離検知手段１９から入力される各信号S１、S２に基づいて供給電力を制御することにより制御対象、すなわち送風手段１５による空気の送風量、加熱手段２１により加える熱量、高電圧発生部１１により電極１２に印加する電圧を最適に制御する構成となっている。
【００４４】
図７は、本実施形態の頭皮ケア装置１の動作を概略的に示すフローチャートである。使用者がスイッチ７をONの状態にすると（S１）、スイッチ７から信号S１が出力され、信号S１が空気量制御部２０、熱量制御部２２、放電制御部２５に入力されて、各制御部２０、２２、２５はそれぞれの制御対象に電源供給を開始する（S２）。
【００４５】
次に、距離検知手段１９は放出口５と頭部との間の距離を検知し（S３）、検知距離と予め記憶設定された閾値とを比較し（S４）、閾値よりも検知距離が大きい場合は、空気量制御部２０は、送風手段１５による空気の送風量を増加させ、熱量制御部２２は、加熱手段２１により加える熱量を増加させる（S５）。ここで、送風手段１５による空気の送風量は図８に示されるように最小送風量と最大送風量とが定められており、最小、最大送風量の間において検知距離が大きくなるに連れて送風量が大きくなるように制御される。加熱手段２１により加える熱量は図９に示されるように、最小加熱量と最大加熱量とが定められており、最小、最大加熱量の間において検知距離が大なると加熱量が段階的に大きくなるように制御される。図９においては、加熱量の変化を１段階にしたものを示しているが複数段階変化させるようにしてもよい。また、S４において、閾値と検知距離が等しい場合は空気量制御部２０および熱量制御部２２は現状の制御を維持する（S６）。また、S４において、閾値よりも検知距離が小さい場合は、空気量制御部２０は、送風手段１５による空気の送風量を減少させ、熱量制御部２２は、加熱手段２１により加える熱量を減少させる（S７）。
【００４６】
S８においてスイッチ７のＯＦＦの状態が検知されれば一連の処理を終了し、スイッチがONであればS３の処理に戻り前述の処理を繰り返し行う。
【００４７】
したがって本実施形態の頭皮ケア装置１によれば、距離検知手段１９が突起部４の放出口５と頭部との間の検知距離を自動的に検知し、検知距離に応じて送風手段１５および加熱手段２１を制御することができる。すなわち検知距離が所定の閾値より小さい場合は加熱手段２１より加える熱量を減少させて高温の温風により頭皮や頭髪に与えられるダメージを低減することができるとともに、高温の温風により微粒子発生部９が劣化することを防ぐことができる。さらに送風手段１５による空気の送風量は低減されるので省エネルギー化を図ることができる。また、反対に検知距離が所定の閾値より大きい場合には、送風手段１５による空気の送風量が増加するので、空気と共に金属微粒子を頭皮に確実に供給することができると共に、送風によって頭髪が掻き分けられることにより安定して金属微粒子を頭皮に供給することができる。
【００４８】
次に、図１０に基づいて、第４の実施形態について説明する。なお、第３の実施形態の頭皮ケア装置１と同様の構成については、同一の符号を付して、その説明を省略する。本実施形態の頭皮ケア装置１は、突起部４の先端に形成された放出口５は、突起部４の突出方向に対して傾斜するように形成されている。なお、この傾斜面は平面形状の傾斜のみならず、凸曲面状の傾斜面や凹曲面状の傾斜面を含むものである。さらに突起部４の先端は頭皮に接触してもよいように丸みを帯びた形状に形成されており、先端に接触スイッチ２６が設けられている。
【００４９】
図１１は、本実施形態の頭皮ケア装置１の電気的構成を概略的に示すブロック図である。図１１に示すように、ハンドル部２３に内蔵された制御基板２４には接触スイッチ２６が接続されており、接触が検知されれば信号S３を放電制御部２５に出力する。放電制御部２５は接触スイッチ２６により入力される信号S３に基づいて電力供給を制御することにより制御対象、すなわち高電圧発生部１１により電極１２に印加する電圧を最適に制御する構成となっている。
【００５０】
図１２は、本実施形態の頭皮ケア装置１の動作を概略的に表すフローチャートである。
使用者がスイッチ７をONの状態にすると（S１１）、放電制御部２５が接触スイッチ２６から信号S３が入力されているか否か、すなわち接触スイッチ２６により接触を検知しているか否かが判断される（S１２）。接触が検知されれば、放電制御部２５は高電圧制御部１１に電源を供給し電極１２に電圧を印加し放電を形成して金属微粒子を発生させる（S１３）。一方接触が検知されない場合は、S１４の処理に移行する。
【００５１】
S１４においてスイッチ７の状態が検知されスイッチがOFFであれば一連の処理を終了し、スイッチがONであればS１２の処理に戻り前述の処理を繰り返し行う。
【００５２】
したがって、本実施形態の頭皮ケア装置１によれば、接触スイッチ２６を設けることで頭皮ケア装置１が頭部に接触したときのみ微粒子発生部９から金属微粒子が発生するので、効率的に頭皮に金属微粒子を供給することができ、微粒子発生部９の長寿命化を図れると共に省エネルギー化を図ることができる。
【００５３】
なお、上述の実施形態においては、空気量制御部２０、熱量制御部２２および放電制御部２５はハンドル部２３に内設された制御基板２４に設けられる構成としたが、これに限らずハウジング３内にサブ基板を設ける等、各制御部２０、２２、２５を分散配置する構成であってもよい。
【００５４】
また、上記第２の実施形態のように突起部４の内部に微粒子発生部９が設けられている場合には突起部４および微粒子発生部９を脱着可能とする構成としてもよい。このようにすることで、突起部４を外すことで頭皮ケア装置１を通常のドライヤーとしても使用することができ、通常のドライヤーとして使用すれば、微粒子発生部９が使用されず微粒子発生部９の劣化を防ぐことができる。
【００５５】
また、図１３に示されるように、ハウジング３から突起部４と共に細いブリスル２７を立設し、ブリスル２７により頭髪を掻き分ける構造としてもよい。
【符号の説明】
【００５６】
１  頭皮ケア装置
２  金属微粒子化手段
３  ハウジング
４  突起部
５  放出口
６  金属付着防止手段
９  微粒子発生部
１５  送風手段
１９  距離検知手段
２０  空気量制御部
２１  加熱手段
２２  熱量制御部
【図１】
2011004922.tif 000003
【図２】
2011004922.tif 000004
【図３】
2011004922.tif 000005
【図４】
2011004922.tif 000006
【図５】
2011004922.tif 000007
【図６】
2011004922.tif 000008
【図７】
2011004922.tif 000009
【図８】
2011004922.tif 000010
【図９】
2011004922.tif 000011
【図１０】
2011004922.tif 000012
【図１１】
2011004922.tif 000013
【図１２】
2011004922.tif 000014
【図１３】
2011004922.tif 000015